(57)【特許請求の範囲】
【請求項１】
モータと、
このモータにその基端側が固定された回転軸と、
この回転軸の先端側に設けられたポンプと、
前記モータと前記ポンプとの間に設けられ、前記回転軸を軸支すると共に前記ポンプと前記モータと連結する連結部とを備え、
前記連結部は、前記モータ及び前記ポンプと外径がほぼ等しく形成されると共に、周方向に沿って複数の隙間が形成された筐体と、
この筐体の内部に同軸的に配置され、前記回転軸を支持するための軸封装置支持部と、
この軸封装置支持部から前記モータ側に延設され、その軸心線が前記回転軸と一致する円筒部が設けられ、
前記円筒部の下側には、前記軸心線方向に沿って開口した排水部が設けられていることを特徴とするポンプ装置。
【請求項２】
前記円筒部は、前記筐体と一体に成形されていることを特徴とする請求項１に記載のポンプ装置。
【発明の詳細な説明】
【技術分野】
【０００１】
本発明は、安全を考慮したポンプ装置に関する。
【背景技術】
【０００２】
ポンプ装置は、例えば、ベース部に電動モータ及びポンプが搭載され、電動モータの回転軸がポンプケーシング内に収容されたインペラを回転駆動するように構成されている。なお、電動モータとポンプとは、メカニカルシール等が設けられた連結部によって連結されて構成されている（例えば、特許文献１参照。）。
【先行技術文献】
【特許文献】
【０００３】
【特許文献１】特許５４４８６１４号公報
【発明の概要】
【発明が解決しようとする課題】
【０００４】
上述したポンプ装置では、次のような問題があった。すなわち、連結部は軽量化のために、最低限の強度を保つだけの部材のみで構成されている。このため、隙間が多く、誤って手指を入れて回転軸に触れたり、巻き込まれて怪我をする虞がある。また、保護カバーを設けると、部品点数が多くなり、組立やメンテナンスに手間が掛かるという問題があった。
【０００５】
そこで本発明は、強度を維持しつつ、軽量化でき、しかも安全を確保することができるポンプ装置を提供することを目的としている。
【課題を解決するための手段】
【０００６】
前記課題を解決し目的を達成するために、本発明のポンプ装置は次のように構成されている。
【０００７】
モータと、このモータにその基端側が固定された回転軸と、この回転軸の先端側に設けられたポンプと、前記モータと前記ポンプとの間に設けられ、前記回転軸を軸支すると共に前記ポンプと前記モータと連結する連結部とを備え、前記連結部は、前記モータ及び前記ポンプと外径がほぼ等しく形成されると共に、周方向に沿って複数の隙間が形成された筐体と、この筐体の内部に同軸的に配置され、前記回転軸を支持するための軸封装置支持部と、この軸封装置支持部から前記モータ側に延設され、その軸心線が前記回転軸と一致する円筒部が設けられ、前記円筒部の下側には、前記軸心線方向に沿って開口した排水部が設けられていることを特徴とする。
【発明の効果】
【０００８】
本発明によれば、強度を維持しつつ、軽量化でき、しかも安全を確保することが可能となる。
【図面の簡単な説明】
【０００９】
【図１】本発明の一実施の形態に係るポンプ装置を一部切欠して示す側面図。
【図２】同ポンプ装置に組み込まれたケーシングカバーをモータ側から示す正面図。
【図３】同ポンプ装置に組み込まれたポンプを示す正面図。
【図４】同ポンプ装置に組み込まれたケーシングカバーを示す上面図。
【図５】同ポンプ装置に組み込まれたケーシングカバーを示す縦断面図。
【図６】同ポンプ装置に組み込まれたケーシングカバーを示す下面図。
【発明を実施するための形態】
【００１０】
図１は本発明の一実施の形態に係るポンプ装置１０を一部切欠して示す側面図、図２はポンプ装置１０に組み込まれたケーシングカバー５０をモータ４０側から示す正面図、図３はポンプ装置１０に組み込まれたポンプ４０を示す正面図、図４はポンプ装置１０に組み込まれたケーシングカバー５０を示す上面図、図５はポンプ装置１０に組み込まれたケーシングカバー５０を示す縦断面図、図６はポンプ装置１０に組み込まれたケーシングカバー５０を示す下面図である。なお、図中２００は電源コードを示している。
【００１１】
ポンプ装置１０は、ステンレスパイプ等のベース部２０と、このベース部２０に取り付けられた電気駆動のモータ３０、ポンプ４０、ケーシングカバー（連結部）５０と、ケーシングカバー５０に取り付けられたハンドル１００とを備えている。なお、モータ３０、ポンプ４０、ケーシングカバー５０は、いずれも共通の回転軸３５によって同軸的に配置されている。
【００１２】
モータ３０は、固定子３１と、この固定子３１に基端側が取り付けられた回転軸３５とを備えている。
【００１３】
ポンプ４０は、ケーシング４１と、このケーシング４１に収容されると共に、回転軸３５の先端側が接続されたインペラ４２とを備えている。
【００１４】
ケーシングカバー５０は、円筒状の筐体５１と、この筐体５１の内部に設けられ、回転軸３５の中間部を支持する軸封装置６０とを備えている。筐体５１の外径は、モータ３０及びポンプ４０の外径とほぼ同じに形成されている。また、筐体５１は、筐体自体及びモータ３０とポンプ４０との連結に必要な強度に必要な構造体のみで形成され、大きく隙間Ｓが形成されている（図４，６参照）。
【００１５】
軸封装置６０には、回転軸３５より僅かに大きい軸封装置支持部６１が形成され、この軸封装置支持部６１からモータ３０側に向けて回転軸３５と軸心線が一致する円筒部６２が形成されている。円筒部６２の先端は、モータ３０に対し、数ｍｍ程度の隙間Ｔをもって対向している。また、円筒部６２の下壁には、排水孔６３が形成され、ポンプ３０側から漏れた水を下方に排出することができる。
【００１６】
このように形成されていると、筐体５１の隙間Ｓから手指が入っても、円筒部６２があるため、回転軸３５に直接触れることはなく、安全である。また、円筒部６２の先端とモータ３０の隙間Ｔも非常に狭いため、手指が触れることがない。したがって、安全を確保することができる。さらに、円筒部６２は筐体５１に比べて小径であるため、全方向を覆っても、ポンプ装置１０全体の重量に与える影響は僅かである。円筒部６２は軸封装置６０に一体に形成されているために、防護のための追加部品を必要とせず、組立やメンテナンスが容易である。
【００１７】
本発明によれば、軽量化のために、ケーシングカバーを最低限の強度を保つだけの部材のみで構成した場合であっても、誤って手指を入れて回転軸に触れたり、巻き込まれることを防止し、しかも部品点数を減らして、組立やメンテナンスを容易にすることができる。
【００１８】
なお、本発明は前記実施の形態に限定されるものではなく、本発明の要旨を逸脱しない範囲で種々変形実施可能であるのは勿論である。
以下に、本願出願の当初の特許請求の範囲に記載された発明を付記する。
［１］モータと、このモータにその基端側が固定された回転軸と、この回転軸の先端側に設けられたポンプと、前記モータと前記ポンプとの間に設けられ、前記回転軸を軸支すると共に前記ポンプと前記モータと連結する連結部とを備え、前記連結部は、前記モータ及び前記ポンプと外径がほぼ等しく形成された筐体と、この筐体の内部に同軸的に配置され、前記回転軸を支持するための軸封装置支持部と、この軸封装置支持部から前記モータ側に延設され、その軸心線が前記回転軸と一致する円筒部が設けられていることを特徴とするポンプ装置。
［２］前記円筒部の下側には、排水部が設けられている［１］に記載のポンプ装置。
［３］前記円筒部は、前記筐体と一体に成形されている［１］に記載のポンプ装置。
【符号の説明】
【００１９】
１０…ポンプ装置、３０…モータ、４０…ポンプ、５０…ケーシングカバー、６０…軸封装置、６２…円筒部、１００…ハンドル、２００…電源コード。
【図１】
0006463927.tif 000002
【図２】
0006463927.tif 000003
【図３】
0006463927.tif 000004
【図４】
0006463927.tif 000005
【図５】
0006463927.tif 000006
【図６】
0006463927.tif 000007